(57)【要約】【課題】  マルチキャストコンテンツ配信での無線基地局と移動通信端末との間の輻輳を未然に防ぐ。【解決手段】  移動通信端末は、現在割り当てられている周波数チャンネルにおいて、レジストレーションの全規制がかかっているか（ステップＳ１２）、部分規制（部分規制）がかかっているか否かを判断する（ステップＳ１４）。そして、全規制または部分規制がかかっている場合には、レジストレーションを行わない。一方、部分規制のみがかかっている場合、あるいは全規制も部分規制もかかっていない場合には、レジストレーションを行うことを許可されているか否かを判断し（ステップＳ１６）、許可されている場合には、所定時間の待機後（ステップＳ１８）、レジストレーションを実行する（ステップＳ２０）。【選択図】  図５
2006186459.tif 000002
【特許請求の範囲】
【請求項１】
無線基地局から送信されるマルチキャストによる番組を受信する移動通信端末であって、
前記無線基地局と通信する通信手段と、
前記通信手段を用いて前記無線基地局から送信されるマルチキャストによる番組に対するレジストレーションを禁止するためのレジストレーション規制情報を取得する取得手段と、
前記レジストレーション規制情報に基づいてレジストレーション動作を制御するレジストレーション制御手段と
を具備することを特徴とする移動通信端末。
【請求項２】
前記レジストレーション制御手段は、前記レジストレーション規制情報が全ての移動通信端末に対してレジストレーションを禁止していることを示す場合には、レジストレーション動作を中止することを特徴とする請求項１記載の移動通信端末。
【請求項３】
前記レジストレーション規制情報が一部の移動通信端末に対してレジストレーションを禁止していることを示す場合には、当該端末がレジストレーションを行うことができるための所定の条件を満足するか否かを判断する条件判断手段を具備し、
前記レジストレーション制御手段は、前記条件判断手段により、当該端末が所定の条件を満足すると判断された場合、レジストレーション動作を実行することを特徴とする請求項１記載の移動通信端末。
【請求項４】
前記レジストレーション制御手段は、レジストレーション動作の開始に先立って、所定範囲のランダムな待ち時間だけ待機することを特徴とする請求項３記載の移動通信端末。
【請求項５】
無線基地局と通信する通信手段と、
前記無線基地局から送信されるマルチキャストによる番組に対するレジストレーション動作を、前記通信手段を用いて行うレジストレーション手段と、
前記レジストレーション手段によるレジストレーション動作の開始に先立って、所定範囲のランダムな待ち時間だけ待機する待機手段と
を具備することを特徴とする移動通信端末。
【請求項６】
移動通信端末に対してマルチキャストによる番組を配信する基地局であって、
マルチキャストによる番組に対するレジストレーションを前記移動通信端末に対して規制するか否かを決定する規制決定手段と、
前記規制決定手段により決定された規制情報を含むレジストレーション規制情報を前記移動通信端末に送信する規制情報送信手段と
を具備することを特徴とする基地局。
【請求項７】
前記規制決定手段は、当該基地局と通信する全ての移動通信端末に対してレジストレーションを禁止する全規制とすることを特徴とする請求項６記載の基地局。
【請求項８】
前記規制決定手段は、当該基地局と通信する一部の移動通信端末に対してレジストレーションを禁止する部分規制とすることを特徴とする請求項６または７記載の基地局。
【請求項９】
前記規制決定手段は、レジストレーション中の移動通信端末の数が規定数を超えている周波数チャンネルに対して全規制または部分規制をかけることを特徴とする請求項７記載の基地局。
【請求項１０】
前記規制決定手段は、マルチキャストによる番組が開始または終了するタイミングで、当該基地局と通信する一部の移動通信端末に対してレジストレーションを禁止する部分規制とする請求項８記載の基地局。
【請求項１１】
移動通信端末に対してマルチキャストによる番組を配信する基地局で、マルチキャストによる番組に対するレジストレーションを前記移動通信端末に対して規制するか否かを決定し、決定された規制情報を含むレジストレーション規制情報を前記移動通信端末に送信し、
前記マルチキャストによる番組に対するレジストレーションに先立って、前記移動通信端末で前記レジストレーション規制情報を前記基地局から取得し、前記レジストレーション規制情報に基づいて前記移動通信端末でのレジストレーション動作を制御することを特徴とするレジストレーション制御方法。
【請求項１２】
前記レジストレーション規制情報は、少なくとも、レジストレーションを一切規制しない非規制と、全ての移動通信端末に対してレジストレーションを禁止していることを示す全規制と、一部の移動通信端末に対してレジストレーションを禁止していることを示す部分規制とを含むことを特徴とする請求項１１記載のレジストレーション制御方法。
【請求項１３】
前記レジストレーション規制情報が部分規制を示す場合には、前記移動通信端末がレジストレーションを行うことができるための所定の条件を満足するか否かを判断し、前記移動通信端末が前記所定の条件を満足すると判断された場合、レジストレーション動作を実行することを特徴とする請求項１２記載のレジストレーション制御方法。
【請求項１４】
前記レジストレーション動作の開始に先立って、前記移動通信端末で所定範囲のランダムな待ち時間だけ待機することを特徴とする請求項１３記載のレジストレーション制御方法。
【請求項１５】
レジストレーション中の移動通信端末の数が規定数を超えている周波数チャンネルに対して全規制または部分規制をかけることを特徴とする請求項１２記載のレジストレーション制御方法。
【請求項１６】
マルチキャストによる番組が開始または終了するタイミングで、前記基地局と通信する一部の移動通信端末に対してレジストレーションを禁止する部分規制とする請求項１２記載のレジストレーション制御方法。
【発明の詳細な説明】
【技術分野】
【０００１】
本発明は、移動通信端末、基地局およびレジストレーション制御方法に関する。
【背景技術】
【０００２】
携帯電話の普及、高機能化に伴い、無線によるマルチキャストサービス提供に対する期待感が高まっている。携帯電話を用いたマルチキャストサービスを提供するための具体的な方法がいくつか提案されている。
【０００３】
ここで、無線基地局からマルチキャストサービスにより放送される番組を移動通信端末が受信するための一般的な方法を述べる。無線基地局が、ある周波数チャンネルＦを用いて番組を放送しているとする。無線基地局との通信に周波数チャンネルＦを割り当てられている移動通信端末は、番組の信号を受信でき、暗号解除手段により番組の信号を復号することにより番組を受信できる。
【０００４】
ところが、無線基地局との通信に周波数チャンネルＦ以外の周波数チャンネルを割り当てられている移動通信端末は、番組の信号を受信することができない。移動通信端末は、番組を受信するため、無線基地局に対してレジストレーションと呼ばれる処理を行うことにより、割り当て周波数チャンネルをＦに変えてもらう。これにより、元々周波数チャネルが異なっていた移動通信端末でも、番組の信号を受信でき、暗号解除手段により番組の信号を復号することにより番組を受信できるようになる。当該移動通信端末は、番組の受信を終了すると、再度、レジストレーションを行うことにより周波数チャンネルを番組受信前の周波数チャンネルに変えてもらう。
【０００５】
一方、テレビやラジオ等の視聴者参加番組において、視聴者が、放送局が指定した特定の接続先へ一斉に接続しようとした際でも、輻輳の発生を未然に防止する技術が提案されている（例えば特許文献１参照）。
【特許文献１】特開２００２−２８１１５２号公報
【発明の開示】
【発明が解決しようとする課題】
【０００６】
しかしながら、上記特許文献１には、無線によるマルチキャストサービスを行う際の無線基地局の周波数チャンネルへのレジストレーションの集中については考慮されていない。例えば、ある番組を無線基地局からマルチキャストする際、番組の終了時などに、無線基地局の特定の周波数チャンネルにレジストレーションが集中しても、無線基地局毎にレジストレーションが集中している周波数チャンネルの輻輳を回避する方法がないという問題があった。
【０００７】
そこで本発明は、マルチキャストコンテンツ配信での無線基地局と移動通信端末との間の輻輳を未然に防ぐことができる移動通信端末、基地局およびレジストレーション制御方法を提供することを目的とする。
【課題を解決するための手段】
【０００８】
上記目的達成のため、請求項１記載の発明による移動通信端末は、無線基地局から送信されるマルチキャストによる番組を受信する移動通信端末であって、前記無線基地局と通信する通信手段と、前記通信手段を用いて前記無線基地局から送信されるマルチキャストによる番組に対するレジストレーションを禁止するためのレジストレーション規制情報を取得する取得手段と、前記レジストレーション規制情報に基づいてレジストレーション動作を制御するレジストレーション制御手段とを具備することを特徴とする。
【０００９】
また、好ましい態様として、例えば請求項２記載のように、請求項１記載の移動通信端末において、前記レジストレーション制御手段は、前記レジストレーション規制情報が全ての移動通信端末に対してレジストレーションを禁止していることを示す場合には、レジストレーション動作を中止するようにしてもよい。
【００１０】
また、好ましい態様として、例えば請求項３記載のように、請求項１記載の移動通信端末において、前記レジストレーション規制情報が一部の移動通信端末に対してレジストレーションを禁止していることを示す場合には、当該端末がレジストレーションを行うことができるための所定の条件を満足するか否かを判断する条件判断手段を具備し、前記レジストレーション制御手段は、前記条件判断手段により、当該端末が所定の条件を満足すると判断された場合、レジストレーション動作を実行するようにしてもよい。
【００１１】
また、好ましい態様として、例えば請求項４記載のように、請求項３記載の移動通信端末において、前記レジストレーション制御手段は、レジストレーション動作の開始に先立って、所定範囲のランダムな待ち時間だけ待機するようにしてもよい。
【００１２】
また、上記目的達成のため、請求項５記載の発明による移動通信端末は、無線基地局と通信する通信手段と、前記無線基地局から送信されるマルチキャストによる番組に対するレジストレーション動作を、前記通信手段を用いて行うレジストレーション手段と、前記レジストレーション手段によるレジストレーション動作の開始に先立って、所定範囲のランダムな待ち時間だけ待機する待機手段とを具備することを特徴とする。
【００１３】
また、上記目的達成のため、請求項６記載の発明による基地局は、移動通信端末に対してマルチキャストによる番組を配信する基地局であって、マルチキャストによる番組に対するレジストレーションを前記移動通信端末に対して規制するか否かを決定する規制決定手段と、前記規制決定手段により決定された規制情報を含むレジストレーション規制情報を前記移動通信端末に送信する規制情報送信手段とを具備することを特徴とする。
【００１４】
また、好ましい態様として、例えば請求項７記載のように、請求項６記載の基地局において、前記規制決定手段は、当該基地局と通信する全ての移動通信端末に対してレジストレーションを禁止する全規制とするようにしてもよい。
【００１５】
また、好ましい態様として、例えば請求項８記載のように、請求項６または７記載の基地局において、前記規制決定手段は、当該基地局と通信する一部の移動通信端末に対してレジストレーションを禁止する部分規制とするようにしてもよい。
【００１６】
また、好ましい態様として、例えば請求項９記載のように、請求項７記載の基地局において、前記規制決定手段は、レジストレーション中の移動通信端末の数が規定数を超えている周波数チャンネルに対して全規制または部分規制をかけるようにしてもよい。
【００１７】
また、好ましい態様として、例えば請求項１０記載のように、請求項８記載の基地局において、前記規制決定手段は、マルチキャストによる番組が開始または終了するタイミングで、当該基地局と通信する一部の移動通信端末に対してレジストレーションを禁止する部分規制としてもよい。
【００１８】
また、上記目的達成のため、請求項１１記載の発明によるレジストレーション制御方法は、移動通信端末に対してマルチキャストによる番組を配信する基地局で、マルチキャストによる番組に対するレジストレーションを前記移動通信端末に対して規制するか否かを決定し、決定された規制情報を含むレジストレーション規制情報を前記移動通信端末に送信し、前記マルチキャストによる番組に対するレジストレーションに先立って、前記移動通信端末で前記レジストレーション規制情報を前記基地局から取得し、前記レジストレーション規制情報に基づいて前記移動通信端末でのレジストレーション動作を制御することを特徴とする。
【００１９】
また、好ましい態様として、例えば請求項１２記載のように、請求項１１記載のレジストレーション制御方法において、前記レジストレーション規制情報は、少なくとも、レジストレーションを一切規制しない非規制と、全ての移動通信端末に対してレジストレーションを禁止していることを示す全規制と、一部の移動通信端末に対してレジストレーションを禁止していることを示す部分規制とを含むようにしてもよい。
【００２０】
また、好ましい態様として、例えば請求項１３記載のように、請求項１２記載のレジストレーション制御方法において、前記レジストレーション規制情報が部分規制を示す場合には、前記移動通信端末がレジストレーションを行うことができるための所定の条件を満足するか否かを判断し、前記移動通信端末が前記所定の条件を満足すると判断された場合、レジストレーション動作を実行するようにしてもよい。
【００２１】
また、好ましい態様として、例えば請求項１４記載のように、請求項１３記載のレジストレーション制御方法において、前記レジストレーション動作の開始に先立って、前記移動通信端末で所定範囲のランダムな待ち時間だけ待機するようにしてもよい。
【００２２】
また、好ましい態様として、例えば請求項１５記載のように、請求項１２記載のレジストレーション制御方法において、レジストレーション中の移動通信端末の数が規定数を超えている周波数チャンネルに対して全規制または部分規制をかけるようにしてもよい。
【００２３】
また、好ましい態様として、例えば請求項１６記載のように、請求項１２記載のレジストレーション制御方法において、マルチキャストによる番組が開始または終了するタイミングで、前記基地局と通信する一部の移動通信端末に対してレジストレーションを禁止する部分規制としてもよい。
【発明の効果】
【００２４】
請求項１記載の発明によれば、取得手段によって、通信手段を用いて無線基地局から送信されるマルチキャストによる番組に対するレジストレーションを禁止するためのレジストレーション規制情報を取得し、レジストレーション制御手段によって、前記レジストレーション規制情報に基づいてレジストレーション動作を制御するようにしたので、マルチキャストコンテンツ配信での無線基地局と移動通信端末との間の輻輳を未然に防ぐことができるという利点が得られる。
【００２５】
また、請求項２記載の発明によれば、前記レジストレーション規制情報が全ての移動通信端末に対してレジストレーションを禁止していることを示す場合には、前記レジストレーション制御手段によって、レジストレーション動作を中止するようにしたので、マルチキャストコンテンツ配信での無線基地局と移動通信端末との間の輻輳を未然に防ぐことができるという利点が得られる。
【００２６】
また、請求項３記載の発明によれば、前記レジストレーション規制情報が一部の移動通信端末に対してレジストレーションを禁止していることを示す場合には、条件判断手段によって、当該端末がレジストレーションを行うことができるための所定の条件を満足するか否かを判断し、前記レジストレーション制御手段によって、前記条件判断手段により、当該端末が所定の条件を満足すると判断された場合、レジストレーション動作を実行するようにしたので、マルチキャストコンテンツ配信での無線基地局と移動通信端末との間の輻輳を未然に防ぐことができるという利点が得られる。
【００２７】
また、請求項４記載の発明によれば、前記レジストレーション制御手段によって、レジストレーション動作の開始に先立って、所定範囲のランダムな待ち時間だけ待機するようにしたので、マルチキャストコンテンツ配信での無線基地局と移動通信端末との間の輻輳を未然に防ぐことができるという利点が得られる。
【００２８】
また、請求項５記載によれば、レジストレーション手段による、前記無線基地局から送信されるマルチキャストによる番組に対するレジストレーション動作の開始に先立って、待機手段によって、所定範囲のランダムな待ち時間だけ待機するようにしたので、マルチキャストコンテンツ配信での無線基地局と移動通信端末との間の輻輳を未然に防ぐことができるという利点が得られる。
【００２９】
また、請求項６記載の発明によれば、規制決定手段によって、マルチキャストによる番組に対するレジストレーションを前記移動通信端末に対して規制するか否かを決定し、規制情報送信手段によって、前記規制決定手段により決定された規制情報を含むレジストレーション規制情報を前記移動通信端末に送信するようにしたので、マルチキャストコンテンツ配信での無線基地局と移動通信端末との間の輻輳を未然に防ぐことができるという利点が得られる。
【００３０】
また、請求項７記載の発明によれば、前記規制決定手段によって、当該基地局と通信する全ての移動通信端末に対してレジストレーションを禁止する全規制をかけるようにしたので、マルチキャストコンテンツ配信での無線基地局と移動通信端末との間の輻輳を未然に防ぐことができるという利点が得られる。
【００３１】
また、請求項８記載の発明によれば、前記規制決定手段によって、当該基地局と通信する一部の移動通信端末に対してレジストレーションを禁止する部分規制をかけるようにしたので、マルチキャストコンテンツ配信での無線基地局と移動通信端末との間の輻輳を未然に防ぐことができるという利点が得られる。
【００３２】
また、請求項９記載の発明によれば、前記規制決定手段によって、レジストレーション中の移動通信端末の数が規定数を超えている周波数チャンネルに対して全規制または部分規制をかけるようにしたので、マルチキャストコンテンツ配信での無線基地局と移動通信端末との間の輻輳を未然に防ぐことができるという利点が得られる。
【００３３】
また、請求項１０記載によれば、前記規制決定手段によって、マルチキャストによる番組が開始または終了するタイミングで、当該基地局と通信する一部の移動通信端末に対してレジストレーションを禁止する部分規制をかけるようにしたので、マルチキャストコンテンツ配信での無線基地局と移動通信端末との間の輻輳を未然に防ぐことができるという利点が得られる。
【００３４】
また、請求項１１記載の発明によれば、移動通信端末に対してマルチキャストによる番組を配信する基地局で、マルチキャストによる番組に対するレジストレーションを前記移動通信端末に対して規制するか否かを決定し、決定された規制情報を含むレジストレーション規制情報を前記移動通信端末に送信し、前記マルチキャストによる番組に対するレジストレーションに先立って、前記移動通信端末で前記レジストレーション規制情報を前記基地局から取得し、前記レジストレーション規制情報に基づいて前記移動通信端末でのレジストレーション動作を制御するようにしたので、マルチキャストコンテンツ配信での無線基地局と移動通信端末との間の輻輳を未然に防ぐことができるという利点が得られる。
【００３５】
また、請求項１２記載の発明によれば、前記レジストレーション規制情報に、少なくとも、レジストレーションを一切規制しない非規制と、全ての移動通信端末に対してレジストレーションを禁止していることを示す全規制と、一部の移動通信端末に対してレジストレーションを禁止していることを示す部分規制とを含めるようにしたので、マルチキャストコンテンツ配信での無線基地局と移動通信端末との間の輻輳を未然に防ぐことができるという利点が得られる。
【００３６】
また、請求項１３記載によれば、前記レジストレーション規制情報が部分規制を示す場合には、前記移動通信端末がレジストレーションを行うことができるための所定の条件を満足するか否かを判断し、前記移動通信端末が前記所定の条件を満足すると判断された場合、レジストレーション動作を実行するようにしたので、マルチキャストコンテンツ配信での無線基地局と移動通信端末との間の輻輳を未然に防ぐことができるという利点が得られる。
【００３７】
また、請求項１４記載の発明によれば、前記レジストレーション動作の開始に先立って、前記移動通信端末で所定範囲のランダムな待ち時間だけ待機するようにしたので、マルチキャストコンテンツ配信での無線基地局と移動通信端末との間の輻輳を未然に防ぐことができるという利点が得られる。
【００３８】
また、請求項１５記載によれば、レジストレーション中の移動通信端末の数が規定数を超えている周波数チャンネルに対して全規制または部分規制をかけるようにしたので、マルチキャストコンテンツ配信での無線基地局と移動通信端末との間の輻輳を未然に防ぐことができるという利点が得られる。
【００３９】
また、請求項１６記載の発明によれば、マルチキャストによる番組が開始または終了するタイミングで、前記基地局と通信する一部の移動通信端末に対してレジストレーションを禁止する部分規制をかけるようにしたので、マルチキャストコンテンツ配信での無線基地局と移動通信端末との間の輻輳を未然に防ぐことができるという利点が得られる。
【発明を実施するための最良の形態】
【００４０】
以下、本発明の実施の形態を、図面を参照して説明する。
【００４１】
Ａ．第１実施形態
Ａ−１．第１実施形態の構成
図１は、本発明の第１実施形態によるマルチキャストサービスシステムの構成を示すブロック図である。図において、移動通信端末１は、基地局２より割り当てられた周波数チャンネルにより基地局２と通信を行っている。また、基地局２は、他の移動通信端末（図示略）に対しても周波数チャンネルを割り当てている。
【００４２】
次に、図２は、本第１実施形態における移動通信端末１の構成を示すブロック図である。移動通信端末１は、通信部１１、操作部１２、記憶部１３、表示部１４、音声入出力部１５を備えている。通信部１１は、基地局２との通信を行う。操作部１２は、移動通信端末１を使用しているユーザからの移動通信端末１への入力を受け付ける。記憶部１３は、移動通信端末１に内蔵されたメモリ、取り外し可能な外部メモリのどちらかまたは両方から構成され、プログラム、移動通信端末１の様々なパラメータの値、ユーザデータ等を記憶する。
【００４３】
表示部１４は、液晶ディスプレイ等の表示画面で、移動通信端末１の状態や受信したマルチキャストコンテンツの映像等を表示する。音声入出力部１５は、入力された音声を電気信号に変換する音声入力部、音声を出力する音声出力部を備えている。制御部１６は、記憶部１３に記憶されたプログラムに基づいて、通信部１１、操作部１２、記憶部１３、表示部１４、音声入出力部１５を制御する。
【００４４】
次に、図３を参照して、移動通信端末１に割り当てられた周波数チャンネルと異なる周波数チャンネルで番組がマルチキャストされるときの移動通信端末１のレジストレーションについて説明する。レジストレーションとは、移動通信端末が番組受信開始時などに行う視聴登録のことである。レジストレーションにより、番組が放送されていない基地局で番組が放送されたり、番組が放送される周波数チャンネルと異なる周波数チャンネルを割り当てられた移動通信端末が、番組が放送される周波数チャンネルを割り当てられたりするようになる。
【００４５】
レジストレーションを行う前の周波数チャネルの割り当てを図３（ａ）とする。図３（ａ）では、移動通信端末１に割り当てられた周波数チャンネルは、ｄチャンネルであり、移動通信端末１を使用しているユーザが視聴を希望する番組Ｐ１は、ｂチャンネルを用いて放送されている。移動通信端末１への割り当てチャンネルと番組Ｐ１の放送チャンネルとが異なるため、移動通信端末１は、番組Ｐ１を受信することができない。そこで、移動通信端末１がレジストレーションを行い、移動通信端末１に割り当てられる周波数チャンネルをｄチャンネルからｂチャンネルに変えると、移動通信端末１は、番組Ｐ１を受信できるようになる。そのときの周波数チャンネルの割り当てを図３（ｂ）に示す。
【００４６】
移動通信端末１は、番組Ｐ１の受信を終了すると、レジストレーションを行うことにより割り当て周波数チャンネルを番組Ｐ１受信前の周波数チャンネルであるｄチャンネルに変える。つまり、番組Ｐ１受信終了後の周波数チャンネルの割り当ては、図３（ａ）に示す状態に戻る。
【００４７】
次に、レジストレーションの集中について説明する。ここで、図４は、周波数チャンネルａ、ｂ、ｃ、ｄのある日の２０：００頃の番組の放送状況を示す概念図である。この時間帯には、図４に示す番組以外は、放送されていないものとする。このとき、下記（１）〜（４）の条件を満たす移動通信端末は、２０：００にｂチャンネルでレジストレーションを行う。
【００４８】
（１）番組を受信していないときの割り当て周波数チャンネルがｂチャンネル以外でかつ、２０：００までは番組Ｐ２を受信し、２０：００以降はどの番組も受信しない。
（２）番組を受信していないときの割り当て周波数チャンネルがｂチャンネル以外でかつ、２０：００までは番組Ｐ２を受信し、２０：００以降は番組Ｐ３または番組Ｐ５を受信する。
【００４９】
（３）番組を受信していないときの割り当て周波数チャンネルがｂチャンネルでかつ、２０：００まではどの番組も受信しておらず、２０：００以降は番組Ｐ３または番組Ｐ５を受信する。
（４）番組を受信していないときの割り当て周波数チャンネルがｂチャンネルでかつ、２０：００までは番組Ｐ２を受信しており、２０：００以降は番組Ｐ３または番組Ｐ５を受信する。
【００５０】
上記（１）〜（４）の条件を満たす移動通信端末が２０：００に一斉にｂチャンネルでレジストレーションを行うことにより、ｂチャンネルにおいて輻輳が発生する可能性がある。そのため、これを回避する仕組みが必要となる。そこで、本第１実施形態では、移動通信端末のレジストレーションに対して規制をかけることにより周波数チャンネルにおいて輻輳が発生するのを回避する。
【００５１】
Ａ−２．第１実施形態の動作
次に、上述した第１実施形態による移動通信端末１の動作について説明する。ここで、図５は、本第１実施形態による移動通信端末１でのレジストレーションの処理の流れを説明するためのフローチャートである。移動通信端末１がレジストレーションを開始すると、制御部１６は、通信部１１を介して、基地局２からのオーバーヘッドメッセージを受信する（ステップＳ１０）。このとき、表示部１４に番組を受信しようと試みていることを示すメッセージ等を表示してもよい。また、音声入出力部１５から番組を受信しようと試みていることを示す効果音や音楽等を出力してもよい。
【００５２】
次に、制御部１６は、受信したオーバーヘッドメッセージの内容から、現在割り当てられている周波数チャンネルにおいて、レジストレーションの全規制がかかっているか否かを判断する（ステップＳ１２）。そして、全規制がかかっている場合には、ステップＳ１０へ戻り、オーバーヘッドメッセージの受信を繰り返す。
【００５３】
すなわち、全規制がかかっている場合には、該周波数チャンネルを割り当てられている全ての移動通信端末のレジストレーションが禁止される。なお、全規制がかかっている場合、表示部１４に全規制がかかっていることを示すメッセージ等を表示してもよい。また、音声入出力部１５から全規制がかかっていることを示す効果音や音楽等を出力してもよい。また、操作部１２から番組の受信を中止する要求を受け付けるようにしてもよい。
【００５４】
一方、全規制がかかっていない場合には、制御部１６は、受信したオーバーヘッドメッセージの内容から、現在割り当てられている周波数チャンネルにおいて、レジストレーションの部分規制（部分規制）がかかっているか否かを判断する（ステップＳ１４）。そして、部分規制がかかっている場合には、制御部１６は、受信したオーバーヘッドメッセージの内容や記憶部１３に記憶された移動通信端末１のパラメータの値から、移動通信端末１がレジストレーションを行うことを許可されているか否かを判定する（ステップＳ１６）。ここで、判定の結果、レジストレーションが許可されていない場合には、ステップＳ１０へ戻り、オーバーヘッドメッセージの受信を繰り返す。
【００５５】
すなわち、部分規制がかかっている場合には、該周波数チャンネルを割り当てられている一部の移動通信端末のレジストレーションが禁止される。例えば、番組受信を終了し割り当て周波数チャンネルを番組受信前の周波数チャンネルに変えてもらうためのレジストレーションを行おうとしている移動通信端末をレジストレーションの禁止対象とするといった方法が考えられる。また、電話番号により決めるという方法も考えられる。また、移動通信端末毎にレジストレーションの優先度を決めるためのパラメータを持っておき、このパラメータにより決めるという方法も考えられる。
【００５６】
また、部分規制がかかっている場合、表示部１４に部分規制がかかっていることを示すメッセージ等を表示してもよい。また、音声入出力部１５から部分規制がかかっていることを示す効果音や音楽等を出力してもよい。また、操作部１２から番組の受信を中止する要求を受け付けるようにしてもよい。
【００５７】
一方、部分規制がかかっていない場合、あるいは部分規制がかかっているものの、レジストレーション許可の条件を満たしている場合には、制御部１６は、まず、正の実数からなる時間Ｔ１、Ｔ２を決め、時間Ｔ１から時間Ｔ２までの値の中から乱数を生成し、その時間だけ待つ（ステップＳ１８）。
【００５８】
時間Ｔ１は、次の処理までの待機時間の最小値であり、時間Ｔ２は、次の処理までの待機時間の最大値である。時間Ｔ１と時間Ｔ２は、Ｔ１≦Ｔ２の関係となる。また、次の処理までの待機時間が必要ないときにはＴ１＝Ｔ２＝０となる。時間Ｔ１、Ｔ２は常に一定の値でもよいし、オーバーヘッドメッセージの内容や記憶部１３に記憶された移動通信端末１のパラメータの値から算出するようにしてもよい。例えば、今まで番組を受信しておらず、これから番組を受信開始する場合には、時間Ｔ１、Ｔ２を小さくするといった方法が考えられる。
【００５９】
待機終了後、制御部１６は、通信部１１を介して基地局２とレジストレーション処理のための通信を行う（ステップＳ２０）。次に、制御部１６は、基地局２とのレジストレーション処理が正常終了したか否かを判断する（ステップＳ２２）。そして、正常終了した場合には当該処理を終了する。なお、正常終了した場合には、表示部１４に正常終了したことを示すメッセージ等を表示してもよい。また、音声入出力部１５から正常終了したことを示す効果音や音楽等を出力してもよい。
【００６０】
一方、レジストレーション処理中に電波の受信状態が悪くなったときなどは、レジストレーション処理は正常に終了しない。このように、レジストレーション処理が正常に終了しなかった場合には、ステップＳ１０へ戻り、上述した処理を繰り返し実行する。
【００６１】
次に、上述した第１実施形態による基地局２の動作について説明する。ここで、図６は、本第１実施形態による基地局２がレジストレーションの規制をかける処理の流れを説明するためのフローチャートである。基地局２は、レジストレーションを規制する処理を開始すると、基地局２は、全ての周波数チャンネルについてレジストレーション中の移動通信端末の数を計測する（ステップＳ３０）。
【００６２】
次に、基地局２は、レジストレーション中の移動通信端末の数が全規制のための規定回数Ｎ１以上である周波数チャンネルがあるか否かを判断する（ステップＳ３２）。そして、レジストレーション中の移動通信端末の数がＮ１以上である周波数チャンネルがある場合には、基地局２は、レジストレーション中の移動通信端末の数がＮ１以上である周波数チャンネルに全規制をかける（ステップＳ３４）。
【００６３】
一方、レジストレーション中の移動通信端末の数がＮ１以上ない場合、あるいはステップＳ３４で、Ｎ１以上である周波数チャンネルに全規制をかけた後、基地局２は、レジストレーション中の移動通信端末の数が部分規制のための規定回数Ｎ２以上、Ｎ１未満であるような周波数チャンネルがあるか否かを判定する（ステップＳ３６）。Ｎ２はＮ１より小さいまたは同じ値が規定されている。
【００６４】
そして、該当する周波数チャンネルが存在する場合には、基地局２は、レジストレーション中の移動通信端末の数がＮ２以上Ｎ１未満であるような周波数チャンネルに部分規制をかける（ステップＳ３８）。そして、当該処理を終了する。一方、存在しない場合には、部分規制することなく、当該処理を終了する。
【００６５】
上述した第１実施形態によれば、基地局２において、レジストレーション中の移動通信端末の数が全規制のための規定回数Ｎ１以上である周波数チャンネルがある場合には、レジストレーション中の移動通信端末の数がＮ１以上である周波数チャンネルに全規制をかける一方、レジストレーション中の移動通信端末の数が部分規制のための規定回数Ｎ２以上、Ｎ１未満であるような周波数チャンネルがある場合には、レジストレーション中の移動通信端末の数がＮ２以上Ｎ１未満であるような周波数チャンネルに部分規制をかけるようにしたので、マルチキャストコンテンツ配信での無線基地局と移動通信端末との間の輻輳を未然に防ぐことができる。
【００６６】
Ｂ．第２実施形態
次に、本発明の第２実施形態について説明する。本第２実施形態では、基地局２は、第１実施形態と異なるタイミングで規制をかけることを特徴としている。前述した第１実施形態においては、基地局２は、レジストレーション中の移動通信端末の数に応じて規制をかけていた。しかしながら、第１実施形態では、番組の開始や終了の時間に予め部分規制をかけることは考慮していなかった。そこで、本第２実施形態では、番組の開始や終了の時間に予め部分規制をかけることを考える。
【００６７】
図７は、本第２実施形態において基地局２がレジストレーションの規制をかける処理を説明するためのフローチャートである。１つの周波数チャンネルで複数の番組が放送される場合、図７に示すフローチャートが番組毎に実行される。図７では、周波数チャンネルｆで、番組Ｐ６が放送される場合を考える。
【００６８】
番組Ｐ６の放送が開始されると、基地局２は、現在時刻が番組終了の時間Ｔ３前か否かを判断し（ステップＳ４０）、番組終了の時間Ｔ３前である場合には、基地局２は、周波数チャンネルｆに対し部分規制をかける（ステップＳ４２）。部分規制は、番組Ｐ６を受信している移動通信端末にのみかけるようにしてもよい。一方、番組終了のＴ３時間前でない場合には、時間Ｔ３前になるまでステップＳ４０を繰り返し実行して待機する。なお、時間Ｔ３は、予め基地局２で定めておく。
【００６９】
次に、基地局２は、現在時刻が番組終了の時間Ｔ４後であるか否かを判断し（ステップＳ４４）、番組終了の時間Ｔ４後である場合には、基地局２は、ステップｓ４２で行った周波数チャンネルｆに対する部分規制を解除する（ステップＳ４６）。但し、周波数チャンネルｆで放送されている他の番組が部分規制を解除すべきでない状況のときは部分規制を解除しない。一方、番組終了の時間Ｔ４後でない場合には、番組終了の時間Ｔ４後になるまでステップＳ４４を繰り返し実行して待機する。なお、時間Ｔ４は、予め基地局２で定めておく。
【００７０】
上述した第２実施形態によれば、番組の開始や終了の時間に予め部分規制をかけるようにしたので、マルチキャストコンテンツ配信での無線基地局と移動通信端末との間の輻輳を未然に防ぐことができる。
【００７１】
Ｃ．第３実施形態
次に、本発明の第３実施形態について説明する。本第３実施形態では、前述した第１実施形態や第２実施形態と異なり、基地局２は、移動通信端末１に対して規制をかけない。移動通信端末１は、レジストレーションを行う際、ランダムなタイミングだけ待つ。これにより、第１実施形態や第２実施形態と異なり、基地局の仕組みを変更することなく周波数チャンネルの輻輳の発生を防ぐことができることを特徴としている。
【００７２】
図８は、本第３実施形態における移動通信端末１のレジストレーションの処理を説明するためのフローチャートである。移動通信端末１がレジストレーションを開始すると、制御部１６は、まず、正の実数からなる時間Ｔ１、Ｔ２を決め、時間Ｔ１から時間Ｔ２までの値の中から乱数を生成し、その時間だけ待つ（ステップＳ５０）。
【００７３】
時間Ｔ１は、次の処理までの待機時間の最小値であり、時間Ｔ２は、次の処理までの待機時間の最大値である。時間Ｔ１と時間Ｔ２は、Ｔ１≦Ｔ２の関係となる。また、次の処理までの待機時間が必要ないときには、Ｔ１＝Ｔ２＝０となる。時間Ｔ１、Ｔ２は常に一定の値でもよいし、オーバーヘッドメッセージの内容や記憶部１３に記憶された移動通信端末１のパラメータの値から算出するようにしてもよい。例えば、今まで番組を受信しておらず、これから番組を受信開始する場合は、時間Ｔ１、Ｔ２を小さくするといった方法が考えられる。
【００７４】
次に、待機終了後、制御部１６は、通信部１１を介して基地局２とレジストレーション処理のための通信を行う（ステップＳ５２）。次に、制御部１６は、基地局２とのレジストレーション処理が正常終了したか否かを判断する（ステップＳ５４）。そして、レジストレーション処理が正常終了した場合には、当該処理を終了する。このとき、表示部１４に正常終了したことを示すメッセージ等を表示してもよい。また、音声入出力部１５から正常終了したことを示す効果音や音楽等を出力してもよい。
【００７５】
一方、レジストレーション処理中に電波の受信状態が悪くなったときなどにはレジストレーション処理が正常に終了しないので、ステップＳ５０へ戻り、レジストレーション処理が正常終了するまで、上述した処理を繰り返し実行する。
【００７６】
上述した第３実施形態によれば、移動通信端末１において、レジストレーションを行う際、ランダムなタイミングだけ待つようにしたので、移動通信端末１に対して規制をかけずに、かつ基地局の仕組みを変更することなく周波数チャンネルの輻輳の発生を防ぐことができる。
【００７７】
なお、上述した第１実施形態ないし第３実施形態においては、いずれも、基地局２がマルチキャスト用の割り当て周波数を１つしか持たない場合でも実施可能である。また、第１実施形態ないし第３実施形態は組み合わせて使うこともできる。
【図面の簡単な説明】
【００７８】
【図１】本発明の第１実施形態によるマルチキャストサービスシステムの構成を示すブロック図である。
【図２】本第１実施形態における移動通信端末１の構成を示すブロック図である。
【図３】本第１実施形態におけるレジストレーションの例を示す概念図である。
【図４】本第１実施形態における周波数チャンネル毎の放送番組の例を示す概念図である。
【図５】本第１実施形態による移動通信端末１でのレジストレーションの処理の流れを説明するためのフローチャートである。
【図６】本第１実施形態による基地局２がレジストレーションの規制をかける処理の流れを説明するためのフローチャートである。
【図７】本発明の第２実施形態において基地局２がレジストレーションの規制をかける処理を説明するためのフローチャートである。
【図８】本発明の第３実施形態における移動通信端末１のレジストレーションの処理を説明するためのフローチャートである。
【符号の説明】
【００７９】
１  移動通信端末
２  基地局
１１  通信部
１２  操作部
１３  記憶部
１４  表示部
１５  音声入出力部
１６  制御部
【図１】
2006186459.tif 000003
【図２】
2006186459.tif 000004
【図３】
2006186459.tif 000005
【図４】
2006186459.tif 000006
【図５】
2006186459.tif 000007
【図６】
2006186459.tif 000008
【図７】
2006186459.tif 000009
【図８】
2006186459.tif 000010